(57)【要約】【課題】外形寸法の異なる各種容器を使用し得る汎用性の高い貯蔵庫を提供する。【解決手段】断熱箱体１１の上部開口１１ａに、遮蔽部材２３が着脱可能に配設される。遮蔽部材２３は、本体部２３ａにおける上側の開放端縁に係止片２３ｂが形成されると共に、該本体部２３ａにおける下側の開放端縁に規制片２３ｃが折曲形成される。係止片２３ｂを断熱箱体１１の後端上部に係止すると共に、規制片２３ｃを内箱の後部内壁面に当接した状態で、本体部２３ａが上部開口１１ａ内に臨むようにして装着される。すなわち、この遮蔽部材２３を断熱箱体１１に配設した際には、前後方向の外形寸法が第１の保冷容器より短かい第２の保冷容器４２を、冷却室に収納し得るようになる。【選択図】　図９
2004084967.tif 000002
【特許請求の範囲】
【請求項１】
本体（１１）に内部画成した収納室（２０）に、該本体（１１）に設けた上部開口（１１ａ）に上端部が臨む状態で容器（２１）を収納し、該容器（２１）に収容されている物品を保冷または保温する貯蔵庫において、
前記収納室（２０）に外形寸法の異なる容器（４２，４３，４４，４６）を収納した際に前記上部開口（１１ａ）に生ずる隙間を塞ぐ遮蔽手段（２３，４５，４８）を、前記本体（１１）に着脱可能に配設した
ことを特徴とする貯蔵庫。
【請求項２】
前記遮蔽手段（２３，４５）には、前記本体（１１）に対して係脱可能な係止手段（２３ｂ）が設けられ、該係止手段（２３ｂ）を介して遮蔽手段（２３，４５）が本体（１１）に装着されるよう構成される請求項１記載の貯蔵庫。
【発明の詳細な説明】
【０００１】
【発明の属する技術分野】
この発明は、貯蔵庫に関し、更に詳しくは、本体に設けた上部開口から容器を冷却室に収納し、該容器に収容されている物品を保冷または保温するよう構成した貯蔵庫に関するものである。
【０００２】
【従来の技術】
飲食店等で使用される食材保冷機として、上方に開放する断熱箱体に内部画成した冷却室に、その上部開口からホテルパンと称される保冷容器を落とし込むように収納して、該容器内に収容した食材等を冷却するものが知られている。
【０００３】
【発明が解決しようとする課題】
前記食材保冷機では、前記上部開口から冷却室に収納した保冷容器により、該上部開口を閉塞することで、冷却室からの冷気の逃出を防止するよう構成されている。このため、前記断熱箱体に形成される上部開口の寸法は、使用する保冷容器の外形寸法に合わせて設定しなければならず、汎用性に欠ける欠点が指摘される。すなわち、保冷容器には外形寸法の異なる各種のものが多数存在するが、１基の食材保冷機に対してユーザーが使用し得る保冷容器の種類が限定されてしまう。
【０００４】
【発明の目的】
この発明は、前述した従来の技術に内在している前記課題に鑑み、これを好適に解決するべく提案されたものであって、外形寸法の異なる各種容器を使用し得る汎用性の高い貯蔵庫を提供することを目的とする。
【０００５】
【課題を解決するための手段】
前記課題を克服し、所期の目的を好適に達成するため本発明は、
本体に内部画成した収納室に、該本体に設けた上部開口に上端部が臨む状態で容器を収納し、該容器に収容されている物品を保冷または保温する貯蔵庫において、
前記収納室に外形寸法の異なる容器を収納した際に前記上部開口に生ずる隙間を塞ぐ遮蔽手段を、前記本体に着脱可能に配設したことを特徴とする。
【０００６】
【発明の実施の形態】
次に、本発明に係る貯蔵庫につき、好適な実施例を挙げて、添付図面を参照しながら、以下詳細に説明する。
【０００７】
図１は、実施例に係る貯蔵庫としての食材保冷機を示すものであって、該食材保冷機１０は、上方に開放する横長の断熱箱体（本体）１１と、該箱体１１の一側部に配設された冷凍ユニット１２とから基本的に構成される。前記断熱箱体１１は、図３に示す如く、上方に開放する外箱１３と、この外箱１３の内部に所要の断熱空間Ｓ１を存して内装された上方に開放する内箱１４と、前記断熱空間Ｓ１に充填される断熱材１５とから構成されている。
【０００８】
前記外箱１３における上端縁部の全周には、図２および図４に示す如く、前記内箱１４を組付け固定するための嵌合部１６が形成されている。この嵌合部１６は、外箱１３の上端縁部から内側に向けて略直角に折曲されて水平に臨む下折曲部１６ａと、該下折曲部１６ａの内端縁部から上側に向けて略直角に折曲されて鉛直に臨むフランジ部１６ｂと、このフランジ部１６ｂの上端縁部から内側に向けて斜めに折曲された上折曲部１６ｃとから構成される。これに対して前記内箱１４における上端縁部の全周には、前記嵌合部１６に上方から外嵌される被着部１７が形成されている。この被着部１７は、前記嵌合部１６の上折曲部１６ｃと平行となるよう内箱１４の上端縁部から外側に向けて所要角度で斜めに折曲された上折曲部１７ａと、該上折曲部１７ａの外端縁部から下側に向けて折曲されて鉛直に臨む側面部１７ｂと、この側面部１７ｂの下端縁部から内側に向けて略直角に折曲されて水平に臨む下折曲部１７ｃとから構成される。なお、内箱１４の上端縁部と被着部１７との連設部位には、後述する各種保冷容器（容器）２１，４２のフランジ２１ａ，４２ａが載置される段部１８が全周に亘って形成されている。
【０００９】
そして、前記外箱１３の嵌合部１６に内箱１４の被着部１７を外嵌したときに、図５に示す如く、被着部１７における下折曲部１７ｃの下面が嵌合部１６における下折曲部１６ａの上面に当接すると共に、被着部１７における上折曲部１７ａの下面が嵌合部１６における上折曲部１６ｃの上面に当接して上下方向の位置決めがなされるよう構成してある。なお、外箱１３の外側面と被着部１７における側面部１７ｂの外面とは面一となるよう設定され、断熱箱体１１の外側に段部が生じないようになっている。また、前記嵌合部１６の下折曲部１６ａおよび被着部１７の上折曲部１７ａの夫々の傾斜は、前記断熱箱体１１の上面が後側から前側に向かって下方傾斜するよう設定されている。
【００１０】
また、前記嵌合部１６と被着部１７とにより、両箱１３，１４の嵌合部位には、全周に亘って前記断熱用空間Ｓ１とは隔離された固定用空間Ｓ２が形成される。
但し、嵌合部１６のフランジ部１６ｂには、断熱用空間Ｓ１と固定用空間Ｓ２とを連通する複数の抜穴１９が形成されており、断熱用空間Ｓ１内で発泡充填される断熱材１５の一部が、各抜穴１９を介して固定用空間Ｓ２に入って充填され、該空間Ｓ２に充填される断熱材１５により外箱１３と内箱１４との嵌合部位が接着固定されるよう構成されている。
【００１１】
前述したようにして構成された断熱箱体１１の内部に画成される収納室としての冷却室２０には、該断熱箱体１１の上部開口１１ａを介して収納された複数の第１の保冷容器（いわゆるホテルパン）２１が、その長手方向に並んでいる。第１の保冷容器２１が収納される冷却室２０の深さ、すなわち内箱１４の内部深さは、食材（物品）を収容する第１の保冷容器２１が断熱箱体１１の上部開口１１ａから突出することなく収納され得る寸法に設定される。また第１の保冷容器２１の上端縁部にはフランジ２１ａが形成されており、該フランジ２１ａの前後方向の外形寸法は、断熱箱体１１の上部内側に形成されて前後に位置する段部１８，１８間に載置される値に設定される。すなわち、前記段部１８，１８にフランジ２１ａを載置することで冷却室２０に収納される第１の保冷容器２１の上端部が上部開口部１１ａに臨むようになっており、該上部開口１１ａの長手方向に複数の第１の保冷容器２１を隙間なく並べることで該開口１１ａが閉塞され、冷却室２０からの冷気の逃出が防止されるよう構成されている。
【００１２】
また前記断熱箱体１１の上面は、後側から前側に向かって下方傾斜するよう設定されており、前記段部１８にフランジ２１ａを介して支持された第１の保冷容器２１は、その上面が前側に向けて下方傾斜するよう構成される。すなわち、冷却室２０に第１の保冷容器２１が収納されている状態で、該容器２１に収容されている食材を、食材保冷機１０の前側から目視により容易に確認し得るようになっている。
【００１３】
前記断熱箱体１１の上部開口１１ａは、該断熱箱体１１に開閉可能に配設された複数のカバー２２により閉成されるよう構成される。なおカバー２２は、例えばポリカーボネート等の材料により透明に形成され、カバー２２で上部開口１１ａを閉成した状態で内部の食材を目視し得るようになっている。
【００１４】
前記断熱箱体１１の上部開口１１ａには、図９および図１０に示す如く、該開口１１ａの前後方向の開口寸法を短かく（開口面積の変更）するための遮蔽手段としての遮蔽部材２３が着脱可能に配設されるよう構成される。この遮蔽部材２３は、後側に開放するＶ字状に形成された本体部２３ａにおける上側の開放端縁に、その長手方向に離間して複数（実施例では２つ）の係止手段としての係止片２３ｂが形成されると共に、該本体部２３ａにおける下側の開放端縁には、上側に向けて規制片２３ｃが折曲形成されている。なお、本体部２３ａの長手方向（左右方向）の寸法は、上部開口１１ａの長手方向の内部寸法より僅かに短かく設定される。そして、各係止片２３ｂを断熱箱体１１の後端上部に係止すると共に、規制片２３ｃを内箱１４の後部内壁面に当接した状態で、本体部２３ａが上部開口１１ａ内に臨むようにして装着される。すなわち、この遮蔽部材２３を断熱箱体１１に配設した際には、前後方向の外形寸法が第１の保冷容器２１より短かい第２の保冷容器４２を、前記冷却室２０に収納し得るようになっている。この場合においては、第２の保冷容器４２の上端縁部に形成されたフランジ４２ａを、前側の段部１８と遮蔽部材２３の本体部２３ａとに載置した状態で、該第２の保冷容器４２が冷却室２０に収納される。また、図１１（ａ）に示す如く、複数の第２の保冷容器４２を上部開口１１ａの長手方向に並べることで、該上部開口１１ａは保冷容器４２および遮蔽部材２３により閉塞されるよう構成される。なお、第２の保冷容器４２の左右方向の寸法は、第１の保冷容器２１の左右方向の寸法より短かく設定されている。
【００１５】
なお、前後方向の外形寸法が第２の保冷容器４２と同じで、左右方向の外形寸法のみが夫々異なる第３の保冷容器（容器）４３（図１１（ｂ））および第４の保冷容器（容器）４４（図１１（ｃ））も、前記段部１８と遮蔽部材２３の本体部２３ａにフランジ４３ａ，４４ａを載置した状態で冷却室２０に収納することができる。また前記遮蔽部材２３は、前記カバー２２の開閉操作に支障を来たすことがない状態で、前記断熱箱体１１に配設される。
【００１６】
前記断熱箱体１１の一側部に配設される冷凍ユニット１２は、図６に示す如く、断熱箱体１１に一体的に配設されたキャビネット２４に内部画成した機械室２５に、圧縮機ＣＭ、凝縮器２６および凝縮器ファン２７等を配設して構成される。この冷凍ユニット１２から導出する冷却器２８は、図３および図７に示す如く、前記内箱１４における断熱材側に臨む外底面に密着するよう蛇行して配設され、該冷却器２８に冷媒を循環供給することで、冷却室２０に貯留された冷却水を冷却するようになっている。この冷却水は、冷却室２０に収納された各種の保冷容器２１，４２，４３，４４の底部が所定深さだけ浸漬される量で貯留され、該冷却水によって保冷容器２１，４２，４３，４４に収容されている食材を間接的に冷却するよう構成してある。
【００１７】
前記キャビネット２４の上面前部には、図１に示すように吸込口２９が形成され、該吸込口２９には、外部空気中に含まれる塵埃を捕集するエアフィルタ３０が着脱可能に配設される。またキャビネット２４の上面後部には、吸込口２９の形成面から所定高さで立上がるダクト部３１が設けられ、該ダクト部３１の天井面に吹出口３２が形成されている。すなわち、前記機械室２５に配設した前記凝縮器ファン２７を回転することで、前部上方から吸込口２９を介して機械室内に吸込んだ外部空気で凝縮器２６や圧縮機ＣＭを空冷し、この熱交換された空気を吹出口３２を介して後部上方に排出するよう構成される。なお、ダクト部３１の前面は、上側から下側に向かうにつれて前方に傾斜しており、該傾斜面３１ａによって吹出口３２から排出される熱交換後の空気が吸込口２９に吸込まれる、いわゆるショートサイクルを生ずるのを抑制するようになっている。
【００１８】
前記機械室２５内の上部には、図６に示す如く、前記吸込口２９と吹出口３２が連通する空間を前後に仕切る遮蔽板３３が、上側から下側に向かうにつれて前方に傾斜して配設され、該遮蔽板３３で仕切られる前側の空間に対応して前記凝縮器２６が配置されると共に、後側の空間に前記圧縮機ＣＭと凝縮器ファン２７とが配置されている。これにより、凝縮器ファン２７の回転により吸込口２９から吸込んだ外部空気が、凝縮器２６や圧縮機ＣＭを空冷することなく吹出口３２から排出されるのを防止し、凝縮器２６および圧縮機ＣＭの効率的な空冷を図り得るよう構成される。なお、遮蔽板３３を傾斜配置したことで、熱交換後の空気はスムーズに吹出口３２に案内されて機外後方に排出されるようになっている。
【００１９】
前記キャビネット２４における断熱箱体側の側面には、図１に示す如く、下側から上側に向かうにつれて断熱箱体１１から離間する上方傾斜が付されており、この側部傾斜面に操作パネル部３４が配置されている。この操作パネル部３４には、電源スイッチ３５、電源ランプ３６、温度調整ダイヤル３７等が配置されており、該温度調整ダイヤル３７を操作することで、食材を冷却する温度を調整し得るよう構成される。
【００２０】
前記冷凍ユニット１２では、図８に示す如く、圧縮機ＣＭで圧縮された気化冷媒は、吐出管３８を経て凝縮器２６で凝縮液化し、ドライヤ３９で脱湿された後にキャピラリーチューブ４０で減圧され、前記冷却器２８中で一挙に膨張して蒸発することにより、前記冷却室２０に貯留されている冷却水と熱交換を行なって冷却する。そして、この冷却器２８で蒸発した気化冷媒は、吸入管４１を経て圧縮機ＣＭに帰還するサイクルを繰り返すよう構成される。
【００２１】
また前記キャピラリーチューブ４０の一部は、前記吸入管４１に近接するよう配管され、この近接部分（熱交換部）で該キャピラリーチューブ４０を流通する液化冷媒と吸入管４１を流通する気化冷媒とを熱交換して、該液化冷媒を過冷却することで、前記冷却器２８での冷却効率を向上するよう構成してある。
【００２２】
【実施例の作用】
次に、実施例に係る食材保冷機の作用につき説明する。先ず、前記断熱箱体１１を組立てる場合は、図２に示す如く、前記外箱１３に対して内箱１４を上方から挿入し、その被着部１７を嵌合部１６に外嵌する。このとき、図５に示す如く、被着部１７における下折曲部１７ｃの下面が嵌合部１６における下折曲部１６ａの上面に当接すると共に、被着部１７における上折曲部１７ａの下面が嵌合部１６における上折曲部１６ｃの上面に当接して上下方向の位置決めがなされる。
また、この状態で外箱１３の外側面と被着部１７における側面部１７ｂの外面とは面一となり、箱体外側に段部や凸部が生ずることはなく、外観の意匠性が向上する。しかも、外箱１３の嵌合部１６や内箱１４の被着部１７を折曲形成したことで、両箱１３，１４の嵌合部位での強度が向上すると共に、嵌合部１６により被着部１７の上折曲部１７ａを支持することで剛性も向上する。
【００２３】
前述したように外箱１３と内箱１４とを組付けた後、前記両箱１３，１４間に画成されている前記断熱用空間Ｓ１に断熱材１５を発泡充填すると、該断熱材１５の一部が、前記フランジ部１６ｂの各抜穴１９を介して固定用空間Ｓ２に入り込んで該空間Ｓ２に充填される。そして、固定用空間Ｓ２に充填された断熱材１５により、嵌合部１６と被着部１７とが接着固定され、これにより外箱１３と内箱１４とは組付け固定される。すなわち、外箱１３と内箱１４とをネジやビス等の固定手段を用いることなく固定することができるから、該固定手段が断熱箱体１１の外側に突出したり露出することはなく、意匠性や清掃性を向上し得る。また固定用空間Ｓ２に断熱材１５を充填したことで、嵌合部１６と被着部１７との嵌合部位における断熱性も確保することができる。
【００２４】
次に、前記断熱箱体１１を備えた食材保冷機１０において、食材を収容した前記複数の第１の保冷容器２１を、そのフランジ２１ａを断熱箱体１１の段部１８に載置した状態で収納したもとで、前記冷凍ユニット１２を運転すると、前記冷却器２８に冷媒が循環供給されて、前記冷却室２０に貯留されている冷却水が冷却され、該冷却水に底部が浸漬されている第１の保冷容器２１に収容されている食材が冷却される。また、冷却室２０に収納されている第１の保冷容器２１は前側に下方傾斜しているから、該容器２１に収容されている食材は、食材保冷機１０の前側（作業位置）から作業者が容易に確認することができる。なお、前記断熱箱体１１の上部開口１１ａは、前記カバー２２により閉成し得るから、作業しないときには外気と第１の保冷容器２１内の食材との熱交換や、冷却室２０からの冷気漏れを防止し得る。また、カバー２２を開放した作業中であっても、上部開口１１ａは複数の第１の保冷容器２１により閉塞されているから、このときの冷却室２０からの冷気漏れも防止される。
【００２５】
ここで、前記第１の保冷容器２１とは異なる外形寸法の、例えば前記第２の保冷容器４２を使用する場合は、前記断熱箱体１１の上部開口１１ａに前記遮蔽部材２３を配設する。そして、図１０に示すように、前側の段部１８と遮蔽部材２３の本体部２３ａとにフランジ４２ａを載置することで、第２の保冷容器４２は冷却室２０に収納される。このとき上部開口１１ａは、図１１（ａ）に示す如く、複数の第２の保冷容器４２と遮蔽部材２３とにより閉塞されるから、冷却室２０からの冷気の逃出は防止され、該保冷容器４２内の食材の効率的な冷却が達成される。言い換えれば、第１の保冷容器２１より前後寸法の短かい第２の保冷容器４２を使用する場合に上部開口１１ａに生ずる隙間は、遮蔽部材２３により閉塞することができる。
【００２６】
また、前記断熱箱体１０に遮蔽部材２３を配設した状態においては、図１１（ｂ）および図１１（ｃ）に示す如く、第２の保冷容器４２と前後方向の外形寸法が同じ第３の保冷容器４３および第４の保冷容器４４も冷却室２０に収納することができる。但し、第３および第４の保冷容器４３，４４の左右方向の外形寸法は、第２の保冷容器４２とは異なるので、上部開口１１ａの長手方向には当該保冷容器４３，４４を収納不能な大きさの隙間を生ずる。しかし、この隙間に第２の保冷容器４２、あるいは他の小型の保冷容器を収納することで、上部開口１１ａを閉塞することは可能である。すなわち、断熱箱体１０における上部開口１１ａの開口面積を変更可能な遮蔽部材２３を取付けたり取外すことで、ユーザーは外形寸法の異なる各種の保冷容器２１，４２，４３，４４を選択して使用することができ、汎用性が高くなる。しかも、遮蔽部材２３はネジやビス等の固定手段を用いることなく前記係止片２３ｂにより断熱箱体１０に着脱可能であるから、その着脱作業は容易である。
【００２７】
前記機械室２５において、前記凝縮器ファン２７の回転によりキャビネット２４の前部上方から吸込口２９を介して機械室内に吸込んだ外部空気は、図６に示す如く、前記遮蔽板３３で仕切られている前部空間において前記凝縮器２６を空冷した後に後部空間側に流れ、ここで前記圧縮機ＣＭを空冷する。この熱交換された空気は、傾斜配置されている遮蔽板３３により後上部に向けて案内され、前記吹出口３２を介してキャビネット２４の後部上方に排出される。なお、吹出口３２は、吸込口２９の形成面より上方に位置し、かつ前記ダクト部３１における吹出口３２と吸込口２９との間に臨む前面が傾斜面３１ａとしてあるから、吹出口３２から排出される熱交換後の空気が吸込口２９に吸込まれるショートサイクルを有効に防止し、凝縮器２６や圧縮機ＣＭ等の効率的な空冷を達成し得る。
【００２８】
また、前記吸込口２９および吹出口３２をキャビネット２４の上面に形成したから、当該食材保冷機１０の周囲四面が壁や他の厨房機器等で塞がれていても、空気の吸排気に支障を来たすことなく効率的な空冷を行ない得る。しかも、吸込口２９を前側に形成したので、該吸込口２９に配設される前記エアフィルタ３０の交換を簡単に行なうことができる。
【００２９】
【別実施例】
図１２は、前記遮蔽部材の別実施例を示すものであって、該遮蔽部材４５の基本的な構成は前述した実施例と同一であるので、同一部位には同じ符号を付して示すものとする。別実施例に係る遮蔽部材４５は、その本体部２３ａにおける左右方向の寸法が、前記第２の保冷容器４２の外形寸法と対応するよう設定されて、該本体部２３ａに形成した１つの係止片２３ｂと規制片２３ｃとを介して断熱箱体１１に着脱可能に配設されるよう構成してある。すなわち、図１２（ａ）に示す如く、前記断熱箱体１１における上部開口１１ａの長手方向（左右方向）の内部寸法によっては、前記複数の第１の保冷容器２１を並列に並べても上部開口１１ａが完全に閉塞されず、長手方向の一端部側に、例えば第２の保冷容器４２を収納し得る寸法の隙間を生ずる場合がある。従って、このときには、長手方向の一端部側に生じている隙間部分と対応する断熱箱体１１に、別実施例の遮蔽部材４５を配設し、該遮蔽部材４５の本体部２３ａと前側の段部１８とにフランジ４２ａを載置して第２の保冷容器４２を冷却室２０に収納する。これにより、上部開口１１ａに生じている隙間を閉塞することができ、冷却室２０からの冷気漏れを防止し得る。
【００３０】
また、第１の保冷容器２１と前後方向の外形寸法が同一で左右方向の外形寸法が長く設定された第５の保冷容器４６を使用する場合においても、図１２（ｂ）に示す如く、複数の第５の保冷容器４６を冷却室２０に収納した状態で、上部開口１１ａに第２の保冷容器４２を収納し得る隙間を生じたときには、該隙間部分に対応して前記別実施例の遮蔽部材４５を配設することで、第２の保冷容器４２を該隙間部分に収納して閉塞することができる。図１２（ｂ）において符号４６ａは、第５の保冷容器４６の上端縁部に形成されたフランジを示す。
【００３１】
すなわち、左右方向の寸法が異なる各種保冷容器を使用する場合に、前記上部開口１１ａに生ずる隙間に対応するよう本体部の長手方向（左右方向）の寸法が設定された各種の遮蔽部材を用意しておけば、１基の断熱箱体１１で使用できる保冷容器の種類を更に多くすることができる。なお、本体部の前後方向の寸法が異なる別種の遮蔽部材を用いることで、前述した第１や第２の保冷容器２１，４２とは前後方向の外形寸法が異なる別の保冷容器を使用することも可能となる。
【００３２】
図１３は、遮蔽手段の更に別の実施例を示すものであって、前述した実施例とは異なる態様で保冷容器を冷却室に収納する場合に用いられる。すなわち、前記実施例では、第２の保冷容器４２を冷却室２０に収納する場合は、前記遮蔽部材２３の本体部２３ａと前側の段部１８にフランジ４２ａを載置するようにしたが、冷却室２０に設置した台座４７に第２の保冷容器４２を載置することで冷却室２０に収納することができる。この場合は、第２の保冷容器４２を遮蔽部材で支持する必要はないから、断熱箱体１１における上部開口１１ａの後側に生ずる隙間を閉塞する機能のみを有する遮蔽手段としての遮蔽部材４８を用いることができる。
【００３３】
すなわち、この遮蔽部材４８は、板状でその前端部には、第２の保冷容器４２のフランジ４２ａに係脱可能に係合する係合部４８ａが形成されている。そして、この遮蔽部材４８を使用する場合は、その後端部を断熱箱体１１の後側の段部１８に載置すると共に係合部４８ａをフランジ４２ａに係合することで、前記隙間を閉塞した状態で断熱箱体１１に配設される。なお、遮蔽部材４８の前後方向の寸法や左右方向の寸法は、使用する保冷容器に応じたものを適宜に用いることができる。
【００３４】
【変更例】
実施例では、貯蔵庫として物品を保冷する食材保冷機を挙げて説明したが、貯蔵庫としては冷凍庫、あるいは物品を保温する温蔵庫等であってもよい。また物品を保冷したり保温する方式としては、収納室に貯留した冷却水や温水を用いる他、内箱を冷却器で冷却したりヒータで加熱するものや、あるいは冷却器で冷却した空気、またはヒータで加熱した空気をファン等により収納室に循環させて保冷したり保温する構成等、各種の方式を用いることができる。
【００３５】
【発明の効果】
以上説明した如く、本発明に係る貯蔵庫によれば、上部開口に生じた隙間を閉塞可能な遮蔽手段を、断熱箱体に着脱可能に配設するよう構成したから、１基の貯蔵庫に対して多種類の容器を使用することが可能となり、汎用性が高くなる。
また、遮蔽手段は断熱箱体に対してネジやビス等の固定手段を用いることなく係止手段を介して装着し得るから、着脱作業は容易となる。
【図面の簡単な説明】
【図１】本発明の好適な実施例に係る食材保冷機を示す概略斜視図である。
【図２】実施例に係る断熱箱体の外箱と内箱とを分離した状態を示す概略斜視図である。
【図３】実施例に係る断熱箱体の縦断側面図である。
【図４】実施例に係る断熱箱体の外箱と内箱を示す縦断側面図である。
【図５】実施例に係る断熱箱体における嵌合部と被着部との嵌合部位を示す要部縦断側面図である。
【図６】実施例に係る冷凍ユニットを示す縦断側面図である。
【図７】実施例に係る断熱箱体における冷却器の配管状態を示す説明平面図である。
【図８】実施例に係る冷凍ユニットの冷媒回路図である。
【図９】実施例に係る断熱箱体に遮蔽部材を配設することで第２の保冷容器を収納した状態で示す食材保冷機の概略斜視図である。
【図１０】実施例に係る遮蔽部材を配設した断熱箱体の縦断側面図である。
【図１１】実施例に係る遮蔽部材を配設した断熱箱体に種類の異なる保冷容器を収納した状態を示す説明平面図である。
【図１２】別実施例に係る遮蔽部材を配設した断熱箱体に種類の異なる保冷容器を収納した状態を示す説明平面図である。
【図１３】更に別の実施例に係る遮蔽部材を配設する状態を示す断熱箱体の縦断側面図である。
【符号の説明】
１１　断熱箱体（本体），１１ａ　上部開口，２０　冷却室（収納室）
２１　第１の保冷容器（容器），２３　遮蔽部材（遮蔽手段）
２３ｂ　係止片（係止手段），４２　第２の保冷容器（容器）
４３　第３の保冷容器（容器），４４　第４の保冷容器（容器）
４５　遮蔽部材（遮蔽手段），４６　第５の保冷容器（容器）
４８　遮蔽部材（遮蔽手段）
【図１】
2004084967.tif 000003
【図２】
2004084967.tif 000004
【図３】
2004084967.tif 000005
【図４】
2004084967.tif 000006
【図５】
2004084967.tif 000007
【図６】
2004084967.tif 000008
【図７】
2004084967.tif 000009
【図８】
2004084967.tif 000010
【図９】
2004084967.tif 000011
【図１０】
2004084967.tif 000012
【図１１】
2004084967.tif 000013
【図１２】
2004084967.tif 000014
【図１３】
2004084967.tif 000015